(57)【特許請求の範囲】
【請求項１】
複数の層の画像の印刷された印刷物の前記画像を読み取る画像読取部と、
前記複数の層のうちの何れかの対象層の画像の、基準画像との相違点を抽出する相違点抽出部と、
前記相違点を相違点記憶部に記録する相違点記録部と、
前記相違点記憶部に記録された相違点と、前記相違点抽出部の抽出した相違点とを比較して、前記相違点記憶部に記録の無い前記印刷物を特定する印刷物特定部と、
を備える印刷物識別装置。
【請求項２】
複数の層の画像の印刷された印刷物の前記画像を読み取る画像読取部と、
前記複数の層のうちの何れかの対象層の画像の、基準画像との相違点を抽出する相違点抽出部と、
前記相違点と前記印刷物の識別番号とを対応付けて相違点記憶部に記録する相違点記録部と、
前記画像読取部の読み取った対象画像の相違点に基づいて前記印刷物の識別番号を前記相違点記憶部から特定する印刷物特定部と、
を備える印刷物識別装置。
【請求項３】
複数の層の画像の印刷された印刷物の前記画像を読み取る画像読取部と、
前記複数の層のうちの何れかの対象層の画像の、基準画像との相違点を抽出する相違点抽出部と、
前記相違点と前記印刷物の印刷工程の識別情報とを対応付けて相違点記憶部に記録する相違点記録部と、
前記画像読取部の読み取った対象画像の相違点に基づいて前記印刷物の印刷工程の識別情報を前記相違点記憶部から特定する印刷物特定部と、
を備える印刷物識別装置。
【請求項４】
前記基準画像は、前記複数の層の画像が印刷された場合の正しい画像のうちの前記対象層の画像に対応する画像である
請求項１から請求項３の何れか一項に記載の印刷物識別装置。
【請求項５】
前記基準画像は、前記印刷物に印刷された前記対象層とは異なる層の画像である
請求項１から請求項４の何れか一項に記載の印刷物識別装置。
【請求項６】
前記相違点は前記対象層の画像と前記基準画像との位置のずれ量である請求項１から請求項５の何れか一項に記載の印刷物識別装置。
【請求項７】
前記相違点は前記対象層の画像と前記基準画像との明度、色相、濃度の何れか一つまたは複数のずれ量である請求項１から請求項６の何れか一項に記載の印刷物識別装置。
【請求項８】
印刷物識別装置が、
複数の層の画像の印刷された印刷物の前記画像を読み取り、
前記複数の層のうちの何れかの対象層の画像の、基準画像との相違点を抽出し、
前記相違点を相違点記憶部に記録し、
前記相違点記憶部に記録された相違点と、前記抽出した相違点とを比較して、前記相違点記憶部に記録の無い前記印刷物を特定する
処理方法。
【請求項９】
印刷物識別装置が、
複数の層の画像の印刷された印刷物の前記画像を読み取り、
前記複数の層のうちの何れかの対象層の画像の、基準画像との相違点を抽出し、
前記相違点と前記印刷物の識別番号とを対応付けて相違点記憶部に記録し、
読み取った対象画像の相違点に基づいて前記印刷物の識別番号を前記相違点記憶部から特定する
処理方法。
【請求項１０】
印刷物識別装置が、
複数の層の画像の印刷された印刷物の前記画像を読み取り、
前記複数の層のうちの何れかの対象層の画像の、基準画像との相違点を抽出し、
前記相違点と前記印刷物の印刷工程の識別情報とを対応付けて相違点記憶部に記録し、
読み取った対象画像の相違点に基づいて前記印刷物の印刷工程の識別情報を前記相違点記憶部から特定する
処理方法。
【請求項１１】
コンピュータに、
複数の層の画像の印刷された印刷物の前記画像を読み取る画像読取ステップと、
前記複数の層のうちの何れかの対象層の画像の、基準画像との相違点を抽出する相違点抽出ステップと、
前記相違点を相違点記憶部に記録する相違点記録ステップと、
前記相違点記憶部に記録された相違点と、前記抽出した相違点とを比較して、前記相違点記憶部に記録の無い前記印刷物を特定する印刷物特定ステップと、
を実行させるプログラム。
【請求項１２】
コンピュータに、
複数の層の画像の印刷された印刷物の前記画像を読み取る画像読取ステップと、
前記複数の層のうちの何れかの対象層の画像の、基準画像との相違点を抽出する相違点抽出ステップと、
前記相違点と前記印刷物の識別番号とを対応付けて相違点記憶部に記録する相違点記録ステップと、
読み取った対象画像の相違点に基づいて前記印刷物の識別番号を前記相違点記憶部から特定する印刷物特定ステップと、
を実行させるプログラム。
【請求項１３】
コンピュータに、
複数の層の画像の印刷された印刷物の前記画像を読み取る画像読取ステップと、
前記複数の層のうちの何れかの対象層の画像の、基準画像との相違点を抽出する相違点抽出ステップと、
前記相違点と前記印刷物の印刷工程の識別情報とを対応付けて相違点記憶部に記録する相違点記録ステップと、
読み取った対象画像の相違点に基づいて前記印刷物の印刷工程の識別情報を前記相違点記憶部から特定する印刷物特定ステップと、
を実行させるプログラム。
【発明の詳細な説明】
【技術分野】
【０００１】
本発明は、印刷物識別装置、処理方法、プログラムに関する。
【背景技術】
【０００２】
銀行券などの幾つもの印刷物は複数の層の画像が重ねて印刷されている。各層に分けて印刷をする場合、各層の印刷に微小なずれが生じる。各層の印刷のずれを算出する技術が特許文献１に開示されている。
【先行技術文献】
【特許文献】
【０００３】
【特許文献１】特開２０１４−１５６０４２号公報
【発明の概要】
【発明が解決しようとする課題】
【０００４】
上述のような複数の層の画像が重ねて印刷される印刷物の偽造の判定や印刷物の特定をより簡易な構成に行うことのできる技術が求められている。
【０００５】
そこでこの発明は、上述の課題を解決することのできる印刷物識別装置、処理方法、プログラムを提供することを目的としている。
【課題を解決するための手段】
【０００６】
上記目的を達成するために、本発明は、複数の層の画像の印刷された印刷物の前記画像を読み取る画像読取部と、前記複数の層のうちの何れかの対象層の画像の、基準画像との相違点を抽出する相違点抽出部と、前記相違点を相違点記憶部に記録する相違点記録部と、前記相違点記憶部に記録された相違点と、前記相違点抽出部の抽出した相違点とを比較して、前記相違点記憶部に記録の無い前記印刷物を特定する印刷物特定部と、を備える印刷物識別装置である。
また本発明は、複数の層の画像の印刷された印刷物の前記画像を読み取る画像読取部と、前記複数の層のうちの何れかの対象層の画像の、基準画像との相違点を抽出する相違点抽出部と、前記相違点と前記印刷物の識別番号とを対応付けて相違点記憶部に記録する相違点記録部と、前記画像読取部の読み取った対象画像の相違点に基づいて前記印刷物の識別番号を前記相違点記憶部から特定する印刷物特定部と、を備える印刷物識別装置である。
また本発明は、複数の層の画像の印刷された印刷物の前記画像を読み取る画像読取部と、前記複数の層のうちの何れかの対象層の画像の、基準画像との相違点を抽出する相違点抽出部と、前記相違点と前記印刷物の印刷工程の識別情報とを対応付けて相違点記憶部に記録する相違点記録部と、前記画像読取部の読み取った対象画像の相違点に基づいて前記印刷物の印刷工程の識別情報を前記相違点記憶部から特定する印刷物特定部と、を備える印刷物識別装置である。
【０００７】
また本発明は、印刷物識別装置が、複数の層の画像の印刷された印刷物の前記画像を読み取り、前記複数の層のうちの何れかの対象層の画像の、基準画像との相違点を抽出し、前記相違点を相違点記憶部に記録し、前記相違点記憶部に記録された相違点と、前記抽出した相違点とを比較して、前記相違点記憶部に記録の無い前記印刷物を特定する処理方法である。
また本発明は、印刷物識別装置が、複数の層の画像の印刷された印刷物の前記画像を読み取り、前記複数の層のうちの何れかの対象層の画像の、基準画像との相違点を抽出し、前記相違点と前記印刷物の識別番号とを対応付けて相違点記憶部に記録し、読み取った対象画像の相違点に基づいて前記印刷物の識別番号を前記相違点記憶部から特定する処理方法である。
また本発明は、印刷物識別装置が、複数の層の画像の印刷された印刷物の前記画像を読み取り、前記複数の層のうちの何れかの対象層の画像の、基準画像との相違点を抽出し、前記相違点と前記印刷物の印刷工程の識別情報とを対応付けて相違点記憶部に記録し、読み取った対象画像の相違点に基づいて前記印刷物の印刷工程の識別情報を前記相違点記憶部から特定する処理方法である。
【０００８】
また本発明は、コンピュータに、複数の層の画像の印刷された印刷物の前記画像を読み取る画像読取ステップと、前記複数の層のうちの何れかの対象層の画像の、基準画像との相違点を抽出する相違点抽出ステップと、前記相違点を相違点記憶部に記録する相違点記録ステップと、前記相違点記憶部に記録された相違点と、前記抽出した相違点とを比較して、前記相違点記憶部に記録の無い前記印刷物を特定する印刷物特定ステップと、を実行させるプログラムである。
また本発明は、コンピュータに、複数の層の画像の印刷された印刷物の前記画像を読み取る画像読取ステップと、前記複数の層のうちの何れかの対象層の画像の、基準画像との相違点を抽出する相違点抽出ステップと、前記相違点と前記印刷物の識別番号とを対応付けて相違点記憶部に記録する相違点記録ステップと、読み取った対象画像の相違点に基づいて前記印刷物の識別番号を前記相違点記憶部から特定する印刷物特定ステップと、を実行させるプログラムである。
また本発明は、コンピュータに、複数の層の画像の印刷された印刷物の前記画像を読み取る画像読取ステップと、前記複数の層のうちの何れかの対象層の画像の、基準画像との相違点を抽出する相違点抽出ステップと、前記相違点と前記印刷物の印刷工程の識別情報とを対応付けて相違点記憶部に記録する相違点記録ステップと、読み取った対象画像の相違点に基づいて前記印刷物の印刷工程の識別情報を前記相違点記憶部から特定する印刷物特定ステップと、を実行させるプログラムである。
【発明の効果】
【０００９】
本発明によれば、容易に所望の印刷物を特定することができる。
【図面の簡単な説明】
【００１０】
【図１】本発明の一実施形態による刷物識別装置の機能ブロック図である。
【図２】本発明の一実施形態による印刷物識別装置のハードウェア構成を示す図である。
【図３】本発明の一実施形態による複数の層の画像が印刷された印刷物から読み取った画像と正画像との対比を示す図である。
【図４】本発明の一実施形態による印刷物識別装置の処理フローを示す第一の図である。
【図５】本発明の一実施形態による印刷物識別装置の処理フローを示す第二の図である。
【図６】本発明の一実施形態による印刷物識別装置の最小構成を示す図である。
【発明を実施するための形態】
【００１１】
以下、本発明の一実施形態による印刷物識別装置を図面を参照して説明する。
図１は同実施形態による印刷物識別装置の機能ブロック図である。
印刷物識別装置１はコンピュータである。印刷物識別装置１には印刷物識別プログラムが格納されている。印刷物識別装置１のＣＰＵはユーザの操作に基づいて印刷物識別プログラムを実行する。印刷物識別装置１は印刷物識別プログラムの実行により、図１に示す画像読取部１１、相違点抽出部１２、相違点記録部１３、印刷物特定部１４の各機能を発揮する。
【００１２】
画像読取部１１は、複数の層の画像の印刷された印刷物から、その印刷された画像を読み取る。
相違点抽出部１２は、複数の層のうちの何れかの対象層の画像の、他の基準画像との相違点を抽出する。
相違点記録部１３は、相違点抽出部１２の抽出した相違点を相違点記憶部１５に記録する。
印刷物特定部１４は、相違点記憶部１５に記録された相違点と、相違点抽出部１２の抽出した相違点とを比較して、相違点記憶部１５に記録の無い印刷物を特定する。または印刷物特定部１４は、画像読取部１１の読み取った対象画像の相違点に基づいて印刷物の識別番号を相違点記憶部１５から特定する。または印刷物特定部１４は、画像読取部１１の読み取った対象画像の相違点に基づいて印刷物の印刷工程の識別情報を相違点記憶部１５から特定する。
正画像記憶部１６は、正画像（基準画像）を記憶する。
【００１３】
上述した正画像（基準画像）とは、複数の層の画像が印刷された場合の正しい画像のうちの対象層の画像であってよい。
または正画像は、印刷物に印刷された対象層とは異なる層の画像であってよい。
また上述の相違点は、対象層の画像と正画像との位置のずれ量、明度差、色相差、濃度差の何れか一つまたは複数のずれ量であってよい。
【００１４】
図２は印刷物識別装置のハードウェア構成を示す図である。
印刷物識別装置１は図２で示すように、ＣＰＵ（Central Processing Unit）２０１、ＩＦ（Interface）２０２、通信モジュール２０３、ＲＯＭ（Read Only Memory）２０４、ＲＡＭ（Random Access Memory）２０５、ＨＤＤ（Hard Disk Drive）２０６などの構成を備えたコンピュータである。通信モジュール２０３は画像の読み取り装置と通信接続されている。ＩＦ２０２は例えばキーボードやマウスなどからの信号を入力する。ＨＤＤ２０６は相違点記憶部１５や正画像記憶部１６のハードウェア構成である。通信モジュール２０３は画像読取装置と通信接続されてよい。
【００１５】
図３は複数の層の画像が印刷された印刷物から読み取った画像と正画像との対比を示す図である。
印刷物は例えば銀行券やチケットなどを想定しているが、説明の便宜上、簡易な図柄が印刷された印刷物の画像を図３に図示する。図３で示す画像ｘは印刷物から読み取った画像である。画像ｘには印刷物に印刷された第一層画像２と第二層画像３が存在する。第一層画像２は第二層画像３の下層に印刷された画像である。第二層画像３は第一層画像２の上層に印刷された画像である。第一層画像２第二層画像３はそれぞれ四角形の図形であるとする。画像ｘの左上頂点を原点Ａ１とする。第一層画像２の右上頂点をＡ２とする。第二層画像３の右上頂点をＡ３とする。
【００１６】
図３に示す画像ｙは印刷物に印刷される複数の層の画像が正しく印刷された場合の正画像を示す。
印刷物識別装置１の正画像記憶部１６は予め正画像ｙの情報を記憶している。正画像ｙには画像ｘと同様に第一層画像２と第二層画像３が存在する。正画像ｙの左上頂点を原点Ｂ１とする。第一層画像２の右上頂点をＢ２とする。正画像記憶部１６は正画像ｙの情報を記憶する。正画像ｙの情報には、正画像ｙの点Ｂ２の点Ｂ１を原点とする座標が含まれている。この座標は例えば１０分の１ミリや１００分の１ミリの精度で記録されている。
【００１７】
図４は印刷物識別装置の処理フローを示す第一の図である。
印刷物識別装置１においては画像読取部１１が印刷物を読み取り、画像ｘを生成する（ステップＳ１０１）。画像ｘは印刷物における所定範囲の画像である。例えば印刷物が銀行券である場合には銀行券１枚の全体の画像である。画像ｘの点Ａ１は、印刷物の左上角を示している。画像読取部１１は画像ｘを相違点抽出部１２に出力する。相違点抽出部１２は画像ｘにおいて第一層画像２の点Ａ２を読み取る。相違点抽出部１２は画像ｘにおける点Ａ１を原点とした点Ａ２の相対座標を特定する。この点Ａ２の点Ａ１を原点とする相対座標の特定は１０分の１ミリ、１００分の１ミリの精度で行う。
【００１８】
相違点抽出部１２は画像ｘにおける点Ａ２の座標と、正画像記憶部１６から取得した正画像ｙにおける点Ｂ２の座標とが同じ画像上の座標であると仮定した場合の距離（ずれ量）を算出する（ステップＳ１０２）。相違点抽出部１２はこの距離を相違点の情報として相違点記録部１３に出力する。相違点記録部１３は点Ａ２の座標と点Ｂ２の座標が同じ画像上の座標であると仮定した場合の距離を相違点記憶部１５に記録する（ステップＳ１０３）。点Ａ２と点Ｂ２の座標の距離は、直線距離でもよいし、縦方向と横方向のそれぞれのずれを示す２つの距離であってもよい。
【００１９】
印刷物識別装置１は数多くの印刷物を読み取り、画像ｘを生成する。そして画像ｘを生成した全ての印刷物についての点Ａ２の座標と点Ｂ２の座標の距離を相違点の情報として相違点記録部１３に出力する。
【００２０】
なお印刷物が銀行券である場合、例えば銀行券の製造過程においては一枚の大判シートに縦横に複数の銀行券が印刷され、それが縦横に裁断されて銀行券が製造される。印刷物識別装置１はそのような大判シートに印刷された複数の銀行券を読み取って、画像ｘを生成するようにしてもよい。その場合、印刷物識別装置１は、裁断された銀行券の各頂点と、その銀行券を読み取って生成した画像ｘの点Ａ１を含む各頂点が、一致するように各銀行券を読み取って画像ｘを生成する。
【００２１】
相違点記録部１３は相違点の情報を、印刷物の識別情報と対応付けて相違点記憶部１５に記録するようにしてもよい。印刷物の識別情報は、例えば印刷物が銀行券であれば、銀行券に印刷される記号であってよい。また相違点記録部１３は、印刷物に印刷されないＩＤなどに対応付けて相違点の情報を相違点記憶部１５に記録するようにしてもよい。
【００２２】
上述の処理によれば、印刷物ごとに、当該印刷物に印刷された画像の複数の層のうちの何れかの対象層の画像の他の正画像との相違点が相違点記憶部１５に記録される。相違点の情報は、例えば相違点が、印刷された画像の複数の層のうちの何れかの対象層の画像の他の正画像からの距離（ずれ量）であれば、その距離を１０分の１ミリ、１００分の１ミリの精度で検出している。したがって、印刷物ごとに識別可能な特徴量を示す相違点の情報が記録される。これによりこの相違点の情報を用いて、ある印刷物についての何等かの特定を行うことができる。何らかの特定とは、印刷物が偽造物であるかどうかなどの特定である。
【００２３】
図５は印刷物識別装置の処理フローを示す第二の図である。
印刷物識別装置１の画像読取部１１は、印刷物を特定する処理において図４で示した処理フローと同様に、印刷物を読み取り、画像ｘを生成する（ステップＳ２０１）。画像読取部１１は読み取った画像ｘを相違点抽出部１２へ出力する。相違点抽出部１２は画像ｘにおいて第一層画像２の点Ａ２を読み取る。相違点抽出部１２は画像ｘにおける点Ａ１を原点とした点Ａ２の相対座標を特定する（ステップＳ２０２）。
【００２４】
相違点抽出部１２は画像ｘにおける点Ａ２の座標と、正画像ｙにおける点Ｂ２の座標との距離（ずれ量）を算出する（ステップＳ２０２）。相違点抽出部１２はこの距離を相違点の情報として対象物特定部１４に出力する。
【００２５】
対象物特定部１４は相違点抽出部１２から取得した相違点の情報が相違点記憶部１５に記録されている相違点の情報に一致するか否かを判定する（ステップＳ２０３）。対象物特定部１４は相違点抽出部１２から取得した相違点の情報が相違点記録部１５に記録されている相違点の情報に一致しない場合、印刷物は不正な手法で製造された印刷物であると判定する（ステップＳ２０４）。例えば印刷物が銀行券である場合には偽造銀行券と判定する。
【００２６】
対象物特定部１４は相違点抽出部１２から取得した相違点の情報が相違点記録部１５に記録されている相違点の情報に一致したかを判定するようにしてもよい。この場合対象物特定部１４は相違点抽出部１２から取得した相違点の情報が相違点記録部１５に記録されている相違点の情報に一致した場合、その印刷物は正しい手法で製造された印刷物であると判定する。例えば印刷物が銀行券である場合には偽造銀行券ではないと判定する。印刷物識別装置１は偽造銀行券であるかないかの判定結果を表示するようにしてもよい。
【００２７】
対象物特定部１４は相違点抽出部１２から取得した相違点の情報が相違点記録部１５に記録されている相違点の情報に一致した場合、その相違点に対応付けて記録されている印刷工程の識別情報を取得するようにしてもよい。この場合、印刷工程の識別情報は、印刷日時、印刷工場の識別情報、印刷機の識別情報などであってよい。対象物特定部１４は特定した印刷工程の識別情報を表示するなどしてよい。
【００２８】
相違点抽出部１２は、画像ｘの点Ａ２と点Ａ３の座標を特定し、点Ａ２と点Ａ３の座標の距離を算出して、この距離（ずれ量）を相違点記録部１３に出力してもよい。この場合、相違点記録部１３は点Ａ２と点Ａ３の座標の距離を相違点の情報として相違点記憶部１５に記録する。印刷物の一枚一枚は精度高く検出すれば、印刷物に印刷される複数層の各層のずれが微妙に異なっている。したがって、１０分の１ミリ、１００分の１ミリの精度で一つの印刷物の異なる層のずれを検出すれば、各印刷物毎に特徴のある情報を記録することができる。
【００２９】
また上述の処理の代わりに、または上述の距離の算出の処理と共に、相違点抽出部１２は画像ｘの第一層画像２と正画像ｙの第一層画像２の明度差、色相差、濃度差の一つまたは複数を相違点として算出して、その相違点を相違点記録部１３に出力してもよい。この場合、相違点記録部１３は画像ｘの第一層画像２と正画像ｙの第一層画像２の明度差、色相差、濃度差の一つまたは複数を相違点の情報として相違点記憶部１５に記録する。この場合、対象物特定部１４は、明度差、色相差、濃度差の一つまたは複数の相違点を用いて、同様に、印刷物を特定する。
【００３０】
上述の処理によれば、印刷物識別装置１は印刷物それぞれについて固有の特徴情報である、複数の層のうちの何れかの対象層の画像の他の正画像との相違点を記憶しておくことができる。これにより、印刷物の偽造や、印刷工程の特定などを行うことができる。
【００３１】
なお上述の処理によれば、相違点抽出部１２は１つの層の１つの点の基準点からの相対座標を用いてずれ量（相違点）を算出し記録し、またそのずれ量に基づいて、印刷物が偽造物かどうかの判定を行っている。しかしながら相違点抽出部１２が複数の層の複数の点の基準点からのずれ量を記録しておくようにしてもよい。この場合、相違点抽出部１２は印刷物からそれら複数の層の複数の点の基準点からのずれ量を特定して、予め記録されているずれ量と一致するかを判定する。
または相違点抽出部１２は、相違点だけではなく合致している点も含めて、印刷物から特定した特徴量が記録されているかを判断してもよい。例えば、点Ａ１を基準とした場合、点Ａ２は右に０．１ｍｍズレあり、点Ａ３はズレがなく、点Ａ４（図示せず）は上に０．２ｍｍズレがあるとした場合、「Ａ２右０．１ｍｍズレ、Ａ３ズレなし、Ａ４上０．２ｍｍズレ」という３つの位置ずれ情報を相違点として記録しておいてもよい。この場合、印刷物１４はそのような相違点が記録されているかどうかを判定することとなる。
または相違点抽出部１２は、１つの層でも場所によってズレ量が異なるので、それららの１つの層における複数の点の基準点からの各ずれ量を相違点として記録しておいてもよい。例えば、点Ａ１を基準とした場合、点Ａ２の左側におけるある点は右に０．１ｍｍズレがあり、点Ａ２の右側におけるある点は上に０．１ｍｍズレあり、といった情報を記録しておいてもよい。
【００３２】
図６は本実施形態による印刷物識別装置の最小構成を示す図である。
印刷物識別装置１は、少なくとも複数の層の画像の印刷された印刷物の画像を読み取る画像読取部、複数の層のうちの何れかの対象層の画像の、他の基準画像との相違点を抽出する相違点抽出部と、相違点を相違点記憶部に記録する相違点記録部とを備えている。
【００３３】
上述の印刷物識別装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３４】
上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３５】
１・・・印刷物識別装置
１１・・・画像読取部
１２・・・相違点抽出部
１３・・・相違点記録部
１４・・・対象物特定部
１５・・・相違点記憶部
１６・・・正画像記憶部
【図１】
0006716980.tif 000002
【図２】
0006716980.tif 000003
【図３】
0006716980.tif 000004
【図４】
0006716980.tif 000005
【図５】
0006716980.tif 000006
【図６】
0006716980.tif 000007